(57)【要約】【課題】通信接続において、通信ネットワークと選択可能なように接続可能である移動局のための装置を提供すること。【解決手段】通信接続において、通信ネットワークと選択可能なように接続可能である移動局（１０）のための装置（２４）であって、少なくとも第１の時間期間中に、該通信ネットワークによって送信された受信信号の表示を受信するように適合されている信号性能測定基準識別子（２８）と、該信号性能測定基準識別子（２８）によって受信された該表示の表現を受信するように適合されている変化率計算器（４２）と、該信号性能測定基準識別子（２８）によって受信された表示を表現する値を受信するように適合されている平均計算器（３４）と、該変化率計算器（４２）および該平均計算器（３４）によってなされた計算の表示を受信するように適合されている接続認証器（３８）とを備える、装置（２４）。【選択図】図１
2010268487.tif 000002
【特許請求の範囲】
【請求項１】
本願明細書に記載の装置。
【発明の詳細な説明】
【技術分野】
【０００１】
本発明は一般に、通信接続において、移動局が通信ネットワークに接続される、モバイル−ネットワーク接続動作に関する。より詳細には、本発明は、不確定な無線周波数特性を示す環境において、通信ネットワークに対して移動局の接続を許可するかどうかを選択する装置および関連方法に関する。
【０００２】
通信ネットワーク信号の同報通信の測定と無線周波数特性の不確実性の定量化された測定とを用いて選択がなされるように、改善された選択管理が提供される。
【背景技術】
【０００３】
音声および非音声データの両方を通信するモバイル通信システムの使用は、現代社会全体に、ますます広がっている。モバイル通信システムの成長は継続的に発展し、展開されている。一般に、それぞれの通信システムの継続的な成長は、改善され、ますます多様なタイプの通信サービスを提供している。例えば、符号分割通信技術を提供する典型的な第２世代のセル式通信システムは、ＣＤＭＡ（符号分割多重アクセス）１ｘ  通信システムと呼ばれる。ＣＤＭＡ  １ｘ通信システムは、音声およびデータ通信サービスの両方を提供する。ＥＶＤＯ（Ｅｖｏｌｕｔｉｏｎ−Ｄａｔａ  Ｏｐｔｉｍｉｚｅｄ）と呼ばれる後継のシステムもまた、データ通信サービスを提供するが、顕著に高い処理能力レートにおけるデータの通信を提供する。
【０００４】
下位互換性は、時に、後継世代通信システムに提供される。すなわち、後継通信システムにおいて動作可能である移動局はまた、対応する前世代の通信システムにおいても動作可能である。例えば、ＥＶＤＯを提供する通信システムにおいて通信するように動作可能である移動局は、時に、ＣＤＭＡ  １ｘ通信システムにおける動作を可能とするようにも構成される。概して、後継世代のネットワークの通信の利点のために、通信は、後継世代が利用可能である場合、後継世代システムを利用して実行されることが好まれる。その通信が、後継世代システムを用いずに、前世代通信システムを用いて利用可能である場合、その通信は、移動局の下位互換性のために、前世代システムを用いて有効である。
【０００５】
異なる通信システム、例えば、同様の技術のタイプの前世代通信システムおよび後継世代通信システムの通信ネットワークのカバーエリアは、互いに、規則的に被っているか、または部分的に被っている。、その結果、移動局は、時に、２つ以上の通信システムのカバーエリア内の位置に配置され、通信を行うために利用可能な通信システムはどれであるかを選択することを可能にする。そしてその後、移動局は、移動局のその移動性のために、異なる数の通信システムのネットワークのカバーエリアによって包囲される位置などのどこかに再配置され得る。さらに、セル式カバーエリアなどのカバーエリアは一定ではなく、変化するものであり、例えば、それは無線周波数の状態に依存する。カバーエリアのそのような変化は、時に、「セルのゆらぎ（ｃｅｌｌ  ｂｒｅａｔｈｉｎｇ）」とも呼ばれる。
【０００６】
それゆえ、通信するためにどの通信システムを選択するかは、単に移動局の配置に基づいているわけではない。利用可能な通信システムに関連する無線周波数特性の分析が必要とされる。しかしながら、特に、移動局が、セルのゆらぎの効果が最も感知され易いような境界エリア付近に配置されている場合、通信を行なうための通信システムの選択は、特に難しい。概して、選択を行なう現行の方法は、無線周波数に関連する不確実性、すなわち、通信システムの通信状態を十分に考慮していない。
【０００７】
それゆえ、移動局と通信システムとの通信を許可するかどうかの選択を行なうための改善された方法が必要とされる。
【０００８】
無線通信システムにおける通信に関連するこの背景技術情報を考慮に入れ、本発明の重要な改善が導き出される。
【発明の概要】
【課題を解決するための手段】
【０００９】
したがって、本発明は、モバイル接続動作を許可するかどうかの選択をする装置および関連方法を有利に提供する。上記モバイル接続動作により、移動局は、通信接続性をもって通信ネットワークに接続される。
【００１０】
本発明の一実施形態の動作を通じて、不確実な無線周波数特性を示す環境において、移動局を通信ネットワークに接続することを許可するかどうかを選択する方法が提供される。
【００１１】
動作中、通信ネットワーク信号の同報通信の測定と無線周波数特性の不確実性の定量化された測定とを用いて選択がなされるように、改善された選択管理が提供される。
【００１２】
本発明の一局面において、無線周波数特性の高い不確実性の存在における通信システムの選択が管理される。無線周波数測定は蓄積され、その無線周波数特性の不確実性の程度が定量化される。次いで、決定閾値が、その定量化された不確実性特性に基づいて作成される。
【００１３】
本発明の別の局面において、移動局は、潜在的なターゲットであるセル位置によって生成された信号の同報通信、または、信号を同報通信する他のネットワーク局をモニタリングする。それらの信号は、信号性能測定基準の決定を可能にする値である。それらの信号は、信号性能測定基準を識別する信号性能測定基準識別子を形成する。その信号性能測定基準は、信号が同報通信される通信チャネルの通信状況に関連する無線周波数特性を表す。それらの信号は、例えば、信号性能測定基準を得るために扱われる。信号性能測定基準は、例えば、ＲＳＳＩ値、ビットエラー率（ＢＥＲ）値、ビットエラーの確率（ＢＥＰ）値、キャリア対干渉（Ｃ／Ｉ）値、あるいは、任意の他の所望の性能測定基準値、または通信システムによって同報通信された信号の通信の無線周波数特性の表示を提供する計算などのような、信号強度表示を形成する。
【００１４】
それらの信号は、例えば、選択された数の時間期間中に、モニタリングされ、それによって、無線周波数特性の測定の蓄積が許可される。
【００１５】
本発明の別の局面において、信号性能測定基準の変化率もまた計算される。例えば、信号がモニタリングされる継続的な時間期間における、信号性能測定基準の値の間の差異を決定することによって計算がなされる。その継続的な時間期間における値の間の差異は、デルタ、すなわち、測定された値の間における変化を規定する。時間期間がゼロに達する場合に、極限操作を実行することによって、その差異の計算は、測定の第１の微分を形成する。測定された値の変化率は、別の方法において代替的に計算される。
【００１６】
本発明の別の局面において、複数の時間期間に亘って蓄積された値は、複数の時間期間に亘る測定の平均値を形成するために、共に平均化される。その平均値は、例えば、相加平均または重み付け平均である。
【００１７】
本発明の別の局面において、測定された値およびその変化率は、モニタリングされた信号が同報通信される通信システムに対して、移動局の接続を認証するかどうかを選択するために分析される。その認証は、測定された値が選択された特性である場合のみに、与えられる。例えば、それらの値は、選択された閾値と少なくとも同じくらい大きい平均値を提示しなければならない。あるいは、時間期間のそれぞれの間における測定された値の変化率は、選択されたレベルを超えていなければならず、例えば、全ての変化率は、正の値でなければならない。一実施形態において、認証は、平均値が選択された閾値を超えており、全ての変化率が正である場合にのみ、与えられる。
【００１８】
測定された値を蓄積することによって、通信システムと通信接続性をもつ移動局の通信を認証するかどうかの選択において、一時的な変化の有意性（ｓｉｇｎｉｆｉｃａｎｃｅ）は減少する。そして、変化率が正の値であることを必要とすることによって、無線周波数特性の不確実性の程度のさらなる定量化がなされる。変化率が正であることを必要とすることによって、移動局は、改善された無線周波数特性が継続して表れている方向に移動しがちである。
【００１９】
一つのインプリメンテーションにおいて、移動局は、ＣＤＭＡ  １ｘおよびＥＶＤＯ通信システムの両方において動作可能である。移動局が最初にＣＤＭＡ  １ｘシステムに接続されている場合、移動局は、ＥＶＤＯを提供するＣＤＭＡシステムなどの、他のシステムの同報通信をモニタリングする。ＣＤＭＡ／ＥＶＤＯ通信システムによって同報通信される信号が検出された場合、その信号は、継続的な時間期間に亘ってモニタリングされる。継続的な時間期間中に、測定された値の平均が取られ、値の変化率が計算される。平均値が選択された値と少なくとも同様に大きく、変化率が全て正である場合、認証は、ＥＶＤＯシステムにスイッチするために、移動局に対して与えられる。すなわち、認証は与えられ、通信接続において、移動局がＣＤＭＡ／ＥＶＤＯシステムに接続されるようになることを許可する。無線周波数特性の高い不確実性が存在する場合においても、通信システムの選択を管理する方法が提供される。不確実性の特性が提供される場合、より良い情報に基づく選択がなされる。
【００２０】
これらおよび他の局面において、装置および関連方法が移動局に対して提供される。移動局は、通信接続において、通信ネットワークと、選択可能なように接続され得る。信号性能測定基準識別子は、少なくとも第１の時間期間中に、通信ネットワークによって送信された受信信号の表示を受信するように適合されている。変化率計算器は、信号性能測定基準識別子によって受信された表示の提示を受信するように適合されている。変化率計算器は、その提示の変化率を計算するように構成されている。接続認証器は、変化率計算器によってなされた計算の表示を受信するように適合されている。接続認証器は、変化率が選択された閾値を超えていることに応じて、移動局が通信ネットワークに接続することを、選択可能なように、認証するように構成されている。
【００２１】
本発明は、さらに以下の手段を備える。
（項目１）  
通信接続において、通信ネットワークと選択可能なように接続可能である移動局（１０）のための装置（２４）であって、該装置（２４）は、
少なくとも第１の時間期間中に、該通信ネットワークによって送信された受信信号の表示を受信するように適合されている信号性能測定基準識別子（２８）と、
該信号性能測定基準識別子（２８）によって受信された該表示の表現を受信するように適合されている変化率計算器（４２）であって、該変化率計算器（４２）は該表現の変化率を計算するように構成されている、変化率計算器（４２）と、
該信号性能測定基準識別子（２８）によって受信された表示を表現する値を受信するように適合されている平均計算器（３４）であって、該表示のそれぞれが、それに割り当てられた個々の重み付けを有しており、該平均計算器（３４）は、該信号性能測定基準識別子（２８）によって受信された該表示の重み付けされた平均値を計算するように構成されている、平均計算器（３４）と、
該変化率計算器（４２）および該平均計算器（３４）によってなされた計算の表示を受信するように適合されている接続認証器（３８）であって、該接続認証器（３８）は、該変化率が選択された閾値を超え、該重み付けされた平均値が選択されたレベルを超えていることに応じて、該移動局（１０）の該通信ネットワークへの接続を、選択可能なように、認証するように構成されている、接続認証器（３８）と
を備える、装置（２４）。
（項目２）  
上記信号性能測定基準識別子（２８）によって受信された表示は、複数の時間期間中に、上記通信ネットワークによって送信された上記受信信号の表示を含む、項目１に記載の装置（２４）。
（項目３）  
上記表示は、上記複数の時間期間のそれぞれに対して、上記受信信号の表示を含む、項目２に記載の装置（２４）。
（項目４）  
上記複数の時間期間は継続的な時間期間を含み、上記平均計算器（３４）によって計算された平均値は、該複数の時間期間のうちの選択された数の時間期間中、上記信号性能測定基準識別子（２８）によって受信された表示に基づいている、項目３に記載の装置（２４）。
（項目５）  
上記平均計算器（３４）によって計算された平均値は相加平均を含む、項目３に記載の装置（２４）。
（項目６）  
上記変化率計算器（４２）は、上記信号性能測定基準識別子（２８）によって受信された各表示に対して変化率を計算し、上記複数の時間期間のうちの選択された数の時間期間中に計算される、項目２に記載の装置（２４）。
（項目７）  
上記変化率計算器（４２）によって計算された変化率は、上記複数の時間期間のうちの選択された数の継続的な時間期間において、上記信号性能測定基準識別子（２８）にて受信された表示の値における差異を決定することによって計算される、項目６に記載の装置（２４）。
（項目８）  
上記選択された閾値は、正の値を含んでおり、上記通信ネットワークへの接続を認証する上記接続認証器（３８）によって要求される前記平均値を超える前記選択されたレベルは、少なくとも最小レベルを含んでいる、項目６に記載の装置（２４）。
（項目９）  
上記通信ネットワークへの上記移動局（１０）の接続を認証する上記接続認証器（３８）によって要求される前記変化率を超える前記選択された閾値は、正の値を含んでいる、項目１に記載の装置（２４）。
（項目１０）  
上記信号性能測定基準識別子（２８）が受信するように適合されている上記受信信号の表示が、信号品質の証を含む、項目１に記載の装置（２４）。
（項目１１）  
移動局（１０）の通信ネットワークへの接続を選択可能なように認証する方法（８２）であって、該方法は、
選択された時間間隔（８４）において、複数の無線リンク測定を蓄積する動作と、
該蓄積する動作（８６）中に蓄積された該複数の無線リンク測定を処理する動作であって、該処理する動作は、該複数の無線リンク測定の平均値を形成する動作を包含する、動作と、
該処理する動作中に処理された測定が選択された基準（８８）を実現する場合に、該通信ネットワークに対する接続を認証する動作と
を包含する、方法（８２）。
（項目１２）  
上記蓄積する動作中に蓄積された上記無線リンク測定は、上記通信ネットワークによって送信された信号の信号品質測定を含む、項目１１に記載の方法（８２）。
（項目１３）  
上記処理する動作は、上記無線リンク測定の変化率を決定する動作を包含する、項目１１に記載の方法（８２）。
（項目１４）  
上記選択された基準は正の変化率を含む、項目１３に記載の方法（８２）。
【００２２】
（摘要）
通信ネットワークを介して通信するために、移動局の接続を認証するかどうかを選択する装置および関連方法が提供される。カバーエリア境界などにおける、無線周波数の不確実性は、より良い選択を制御するように管理される。通信システムによって同報通信された信号はモニタリングされ、信号の信号性能測定基準は識別される。性能測定基準の平均値は識別され、性能測定基準の変化率は計算される。その平均値が選択された閾値を超えており、変化率が正である場合、移動局が通信ネットワークに接続することを許可する認証が与えられる。
【図面の簡単な説明】
【００２３】
【図１】本発明の実施形態が動作可能である通信システムの機能ブロック図を示す。
【図２】本発明の一実施形態に従って動作可能である移動局が、選択可能なように通信することができる通信システムのセットのカバーエリアの図を示す。
【図３】図１に示される通信システムの動作間に生成される信号伝達を表すメッセージシーケンス図を示す。
【図４】本発明の一実施形態の動作の方法をリストアップしている方法のフロー図を示す。
【発明を実施するための形態】
【００２４】
まず図１を参照すると、移動局１０は、通信接続において、選択された通信システムに接続するように動作可能であり、２つの通信システムである、システム１２およびシステム１４のネットワークの一部が図に表されている。例示的なインプリメンテーションにおいて、移動局は、ＣＤＭＡ  １ｘ通信システムおよびＣＤＭＡ／ＥＶＤＯ通信システムにおいて用いられる動作プロトコルに従って動作可能であるＣＤＭＡ仕様のデバイスを形成する。ここで、通信システム１２は、ＣＤＭＡ  １ｘ通信システムを表し、通信システム１４はＣＤＭＡ／ＥＶＤＯ通信システムを表す。より一般的には、移動局１０は、無線通信システムにおいて通信するように動作可能な任意の多様なセル式および他の通信局を表し、通信システム１２および１４は、局１０が通信することができる通信システムの、任意の対応するセットを表す。以下の記載は、ＣＤＭＡ仕様の移動局として、移動局の例示的なインプリメンテーションに関連して、例示的な動作を記載しているが、本発明の教示は、他のオペレーティングプロトコルに従って動作可能であり、かつ他のタイプの通信システムの通信ネットワークに接続可能な移動局にも同じように適用可能であることは理解されるべきである。
【００２５】
移動局は、トランシーバ回路網を含み、本明細書においては、送信部１６および受信部１８によって表される。送信部および受信部は個々に、移動局と通信接続状態にある、例えばシステム１２およびシステム１４などの通信システムと、通信信号を送信および受信するように動作する。
【００２６】
前述したように、移動局がＥＶＤＯ通信できる場合、ＥＶＤＯ仕様のシステムとの通信は、ＣＤＭＡ  １ｘプロトコルに適合する通信のみを提供する通信システムにおける通信を介することが、概して好まれる。ＥＶＤＯシステムが利用不可能である場合、またはＥＶＤＯシステムとの通信状況が貧弱である場合は、ＣＤＭＡ  １ｘシステムとの通信が好まれる。すなわち、図１の例示に関して、移動局１０が、システム１２およびシステム１４の両方のカバーエリアに配置される場合、ＥＶＤＯシステム１４との通信接続における移動局の接続は、ＣＤＭＡ  １ｘシステム１２との通信を介することが好まれる。しかし、通信システム１４との通信が貧弱である場合（例えば、移動局が、通信システム１４のカバーエリアの境界、または境界付近に位置している場合、時々表れるような）、通信システムは、ＣＤＭＡ  １ｘシステムを用いて、より良く達成される。ＥＶＤＯシステムとの通信状況が貧弱である場合、通信エラーは、許可される相当に高いデータ通信レートにも関わらず、ＥＶＤＯ通信の有効性を制限する。しかしながら、通信状況は静的ではない（特に、カバーエリア境界に特に接近するとき）。いわゆるセルのゆらぎは、通信システムとの通信の無線周波数特性を、時に、大幅に変化させてしまう。たとえ移動局が動いていなかったとしても、境界あたりにある無線周波数特性は、変化し易い。移動局が移動する場合、通信システムとの通信状況の無線周波数特性における変化は、一層の顕著な変化に影響を受け易い。移動局を、ＥＶＤＯシステム、またはより一般的には、特定の通信システムに接続することを許可するかどうかの選択は、無線周波数特性の不確実性のために、時に困難である。
【００２７】
移動局１０は、概して参照番号２４にて示される、本発明の一実施形態の装置を含む。上記装置は、システム選択における不確実性を管理し、これにより、選択プロセスを改善する。上記選択プロセスにより、移動局が通信接続性をもってセル式システム（例えば、図１に示されるＥＶＤＯシステム１４）に接続されるようになることを許可するかどうかが選択される。その装置は機能的に表され、例えば、処理回路網によって実行可能なアルゴリズムを含む任意の所望の方法においてインプリメント可能である。装置２４が、移動局１０に具現化されている例示的なインプリメンテーションである一方で、他のインプリメンテーションにおいては、その装置の要素は、例えば、通信システムのネットワーク部分などの、他の部分に具現化されているか、または、ネットワーク部分と移動局との間に分散されている。無線周波数特性の不確実性が変更され得ない一方で、本発明の一実施形態の動作を介して、より良く不確実性を管理する方法が提供され、それによって、移動局を通信システムに接続することを許可するかどうかのより良い選択を容易にする。
【００２８】
その装置は、本明細書において、移動局にて受信された信号の表示（線３２として）と共に提供されている信号性能測定基準識別子２８を含む。当該信号は、例えば、通信システムによって同報通信された制御信号を含む。従来の方法において、その信号は、移動局の動作中、例えば、通信システムのネットワークに関連する符号分割チャネルに変わることによってモニタリングされる。信号性能測定基準識別子は、受信された信号に関連する性能測定基準を識別する。例えば、性能測定基準は、受信信号のＲＳＳＩ（Ｒｅｃｅｉｖｅ  Ｓｉｇｎａｌ  Ｓｔｒｅｎｇｔｈ  Ｉｎｄｉｃａｔｉｏｎ）、例えばビットエラーの確率（ＢＥＰ）から由来する受信信号品質表示、キャリア対干渉（Ｃ／Ｉ）比、または他の通信性能の証（ｉｎｄｉｃｉａ）を形成する。例示的なインプリメンテーションにおいて、信号性能測定基準識別子は、継続の時間期間中に、性能測定基準の値を識別し、かつ、バッファまたは他の格納要素（別個に図示されてはいない）などにおける値を蓄積する。
【００２９】
識別子によって識別または形成された値は、平均計算器３４に提供される。平均計算器は、選択された時間期間数に亘って、平均値を計算し、その平均値を形成する。一インプリメンテーションにおいて、平均値は、相加平均を形成する。別のインプリメンテーションにおいて、平均値は重み付けされた平均である。ここで、重み付け情報は、例えば、平均化されている所定の値を重み付けるために、線３６において、提供される。いったん計算されると、平均値は接続認証器３８に提供される。
【００３０】
識別子によって識別された性能測定基準の値はまた、変化率計算器４２に提供される。変化率計算器は、値の変化率を計算する。変化率は、値の一次微分を規定する。一インプリメンテーションにおいて、変化率は、継続した時間期間において測定された値の間における差異を形成することによって計算される。いったん計算されると、変化率は接続認証器３８に提供される。
【００３１】
接続認証器は、平均計算器および変化率計算器によって提供される値に応じて、移動局が通信システムに接続するのを許可するかどうかを選択する。多様なインプリメンテーションにおいて、認証は、従来の基準を含む、他の基準にさらに依存する。認証器によって提供された認証は、トランシーバ回路網に提供され、送信部１６および受信部１８は、接続認証器によって提供された認証を実行する方法において動作される。
【００３２】
例示的なインプリメンテーションにおいて、接続認証器は、平均値が選択された閾値を超え、変化率が正である場合、通信システムへの移動局の接続を認証する。
【００３３】
すなわち、例示的な実施形態の動作において、Ｎ回の測定は固定期間において蓄積される。上記測定は、無線周波数性能の測定基準が、移動局、ここでは近隣のシステムであるシステム１４において受信された信号を識別することを可能にする。Ｎ回の測定の蓄積の後、およびその後の各測定期間に対して、測定のウィンドウが処理される。まず、測定の相加平均または重み付け平均が計算される。次いで、各測定の一次微分が計算される。
【００３４】
システムとの接続の認証は、その計算された値が閾値よりも大きいか、またはそれと等しい場合であって、かつ第１の測定を差し引いた、スライディングウィンドウ内の測定の第１の微分が正である場合にのみ、許可される。これにより、無線周波数特性に関する不確実性レベルが、比較的高い尤度が存在する程度にまで減少され、移動局が、通信接続において、通信システムに接続されたままの状態を可能にすることを保証する。
【００３５】
数学的には、図１に示されるシステム１２またはシステム１４などの代替のシステムＳの選択パラメータは以下のように表される。
【００３６】
【数１】
2010268487.tif 000003
図２は、図１に示される、通信システム１２および１４のネットワークの例示的なカバーエリア（通常、参照番号５２にて示される）の図を示す。カバーエリアは部分的に重なっている。また、セルのゆらぎ効果（カバーエリアの境界において最も顕著に示される）は、点線および実線、ならびにその間の差異５４によって表される。
【００３７】
移動局の移動の例示的な経路は、線５６によって表される。最初に、移動局は、ＣＤＭＡ  １ｘシステム１２のネットワークの実線のカバーエリア内にある。移動局がそこに配置された場合、その移動局はシステム１２に接続される。次に、移動局は、ＥＶＤＯシステム１４のネットワークの境界エリアにおけるエリア５８に移動する。そこでの無線周波数特性は、例えば、減衰するチャネル状態、ユーザの移動性、および瞬間的なセルのゆらぎなどの結果として不確定である。そこに配置された場合、移動局は、ＥＶＤＯシステムと十分に同期化することができなくなり、本発明の一実施形態の動作が不在となり、繰り返しシステム１２との接続に戻り、それによって、システム１２の動作中において通信された情報に不完全なアクセスを生じさせる。次に、移動局は、システム１４の実線のカバーエリアに入る。システム１４における通信状況の無線周波数特性において、不確実性が殆どなく、適切な状態であるとみなすと、移動局はシステム１２に接続する。
【００３８】
本発明の一実施形態の動作を介して、移動局がエリア５８に位置される場合、その移動局は、システム１４に接続することは試みられない。性能測定基準は、必要とされる平均値を表示せず、または正の変化率を表示せず、移動局のＥＶＤＯシステムへの接続を許可することを必要としない。移動局が、ＥＶＤＯシステムの実線のカバーエリアに入ると、性能測定基準は変化し、移動局のシステム１４への接続は許可される。
【００３９】
図３は、移動局１０の動作のシーケンス表示６２を表す。ここで、最初に、移動局は、通信接続（ブロック６４によって示される）において、通信システム１２と接続される。移動局は通信システム１４によって同報通信される信号をモニタリングする。信号性能測定基準は、複数の時間期間の間において、システム１４によって同報通信された信号の測定によって識別される。信号の性能測定基準は識別され（本明細書においてブロック６８で示される）、平均化された値およびその変化率が計算される（ブロック７２および７４によって示される）。両方の変化率が正であり、平均値が選択された閾値よりも大きい場合、移動局が、通信システム１４に接続されるようになることに対して、認証が与えられる（ブロック７６によって示される）。また、移動局はシステム１４と接続するようになる（ブロック７６によって示される）。
【００４０】
図４は、本発明の一実施形態の動作の方法を表す、通常、参照番号８２に示される、方法のフロー図を示す。それは、移動局の通信ネットワークへの接続を選択可能なように認証する方法である。
【００４１】
まず、ブロック８４に示されるように、複数の無線リンク測定は選択された時間間隔において蓄積される。次いで、ブロック８６に示されるように、複数の無線リンク測定は処理される。
【００４２】
その後、ブロック８８に示されるように、通信ネットワークに対する接続は、その測定が選択された基準を実現する場合に、認証される。
【００４３】
無線周波数の不確実性をより良く管理することによって、移動局を通信ネットワークに接続するようにするかを許可するかどうかに関して、改善された決定がなされる。
【００４４】
前述の記載は、本発明をインプリメントするための好適な例であり、本発明の範囲は、この記載に不必要に制限されない。本発明の範囲は、添付の請求の範囲によって規定される。
【符号の説明】
【００４５】
１０  移動局
１２、１４  通信システム
１６  送信部
１８  受信部
２８  信号性能測定基準識別子
３４  平均計算器
３８  接続認証器
４２  変化率計算器
【図１】
2010268487.tif 000004
【図２】
2010268487.tif 000005
【図３】
2010268487.tif 000006
【図４】
2010268487.tif 000007